(57)【要約】　　　（修正有）【課題】緩衝材の組み立て成型時における、枕部分を段ボールシートの縦目方向に耐圧強度が向上する形状にする、また、使用する段ボールシートの面積を小さくして、経済的に有利な緩衝材を提供する。【解決手段】三角折板を折目を介して底面体側に折り畳み、次に斜逆折目を折目に沿って逆方向に折り返すと、三角折板の折目を介して連設される縦枕部分が、段ボールシートの縦目方向に耐圧強度が向上する形状にする。【選択図】　　　　図１
0003099873.tif 000002
【実用新案登録請求の範囲】
【請求項１】
一枚の段ボールシートより形成され、底面板（２）と該底面板（２）の対向する一対の側辺（３）に、該底面板（２）の段目に交差する方向に、それぞれの折目（４）を介して連設される壁板（５）よりなる一対の横枕部分（６）と該底面板（２）の他方の一側辺（７）に、該底面板（２）の段目に沿う方向に、それぞれの折目（８）を介して連設される壁板（９）よりなる縦枕部分（１０）からなる緩衝材であって、該縦枕部分（１０）は該底面板（２）の段目に沿う側辺に設けられ、折目を介して三角折板（１１）及び壁板（９）が連設され、該壁板（９）は切線（１４）により前記底面板（２）と一部を切り離され、該三角折板（１１）に該三角折板（１１）と該切線の交点（１２）から斜逆折目（１３）を設け、組み立て時に壁板（９）が段ボールシートの縦目方向（１５）の形状に成型されることを特徴とする緩衝材（１）。
【考案の詳細な説明】
【０００１】
【考案の属する技術分野】
本考案は輸送および保管時における電化製品等を保護する緩衝材に関するものである。
【０００２】
【従来の技術】
従来、一枚の段ボールシートより形成され、底面板（２’）と該底面板（２’）の対向する一対の側辺（３’）に、該底面板（２’）の段目に交差する方向に、それぞれの折目（４’）を介して連設される壁板（５’）よりなる一対の横枕部分（６’）と該底面板（２’）の他方の一側辺（７’）に、該底面板（２’）の段目に沿う方向に、それぞれの折目（８’）を介して連設される壁板（９’）よりなる縦枕部分（１０’）より形成される緩衝材（１’）であった。
【０００３】
【考案が解決しようとする課題】
従来、一枚の段ボールシートに、底面板（２’）と底面板（２’）の対向する一対の側辺（３’）に、底面板（２’）の段目に交差する方向に、それぞれの折目（４’）を介して連設される壁板（５’）よりなる一対の横枕部分（６’）と底面板（２’）の他方の一側辺（７’）に、底面板（２’）の段目に沿う方向に、それぞれの折目（８’）を介して連設される壁板（９’）よりなる縦枕部分（１０’）より形成される緩衝材（１’）である為、形成される横枕部分（６’）及び縦枕部分（１０’）は、一対の横枕部分（６’）を段ボールシートの縦目方向（１１’）に耐圧強度が向上する形状にすると、他方の縦枕部分（１０’）は段ボールシートの横目方向（１２’）になり、十分な耐圧強度が得られない形状になる。また、図２の様に底面板（２’）と横枕部分（６’）と縦枕部分（１０’）が縦横に広がる形状になる為、無駄な不必要部分（１３’）が出来て、使用する段ボールシートの面積が大きくなり、経済的損失が多大であった。
【０００４】
本考案は、従来の問題点を解決しようとするものであり、その目的とするところは、緩衝材の組み立て成型時における、枕部分を段ボールシートの縦目方向に耐圧強度が向上する形状にする、また、使用する段ボールシートの面積を小さくして、経済的に有利な緩衝材を提供することである。
【０００５】
【課題を解決するための手段】
前述された目的を達成するために本考案は、図１のように、一枚の段ボールシートより形成され、底面板（２）と該底面板（２）の対向する一対の側辺（３）に、該底面板（２）の段目に交差する方向に、それぞれの折目（４）を介して連設される壁板（５）よりなる一対の横枕部分（６）と該底面板（２）の他方の一側辺（７）に、該底面板（２）の段目に沿う方向に、それぞれの折目（８）を介して連設される壁板（９）よりなる縦枕部分（１０）からなる緩衝材（１）であって、該縦枕部分（１０）は該底面板（２）の段目に沿う側辺に設けられ、折目を介して三角折板（１１）及び壁板（９）が連設され、該壁板（９）は切線（１４）により前記底面板と（２）一部を切り離され、該三角折板（１１）に該三角折板（１１）と該切線（１４）の交点（１２）から斜逆折目（１３）を設けたのである。
【０００６】
このように構成すると、三角折板（１１）を折目を介して底面体側に折り畳み、次に斜逆折目（１３）を折目に沿って逆方向に折り返すと、三角折板（１１）の折目を介して連設される縦枕部分（１０）が、段ボールシートの縦目方向（１５）に耐圧強度が向上する形状にできる。また、使用する段ボールシートの面積を小さくして、経済的に有利な緩衝材を提供することである。
【０００７】
【考案の実施の形態】
以下、この考案の実施の形態を添付図面に基づいて説明する。
【０００８】
図１に示すように、緩衝材は底面板（２）とそれぞれの折目（３）を介して連設される壁板（４）よりなる一対の横枕部分（６）とそれぞれの折目（８）を介して連設される壁板（９）よりなる縦枕部分（１０）により構成されている。
【０００９】
底面板（２）の一側辺に段目に沿って、折目を介して三角折板（１１）が連設され、三角折板（１１）に斜逆折目（１３）が設けられており、また、三角折板（１１）の他側には折目を介して壁板（９）が連設されており、壁板（９）は底面板（２）から切線（１４）により一部を切り離されている。
【００１０】
底面板（２）の他側辺に対向する一対の側辺（３）に段目に交差する方向で、折目を介して連設されている。
【００１１】
上記段ボールシートから緩衝材（１）を成型するには、まず図１のＡように三角折板（１１）は折目を介して底面板側（２）に折り畳み、次に図１のＢのように三角折板（１１）を斜逆折目（１３）を反転する方向に折り返し、ついで図１のＤのようにそれぞれの折目（８）を介して連設される壁板（９）を筒状に折り曲げて、縦枕部分（１０）を形成し、適宜方法により固定する。
【００１２】
そして、底面板（２）の対向する一対の側辺（３）に底面板（２）の段目に交差する方向に、それぞれの折目（４）を介して連設される壁板（５）を、筒状に折り曲げて一対の横枕部分（６）を形成し、適宜方法により固定することで、緩衝材（１）を製作する。
【００１３】
このように製作された緩衝材は、組み立て時に段ボールシートの目が横枕部分（６）と縦枕部分（１０）がともに縦目に成型される。
【００１４】
以上のように、この考案に係る緩衝材は、組み立て時に段ボールシートの目が横枕部分（６）と縦枕部分（１０）がともに、縦目に成型される為ため、耐圧強度が向上する形状となる。
【００１５】
また、三角折板（１１）と斜逆折目（１３）を設けることで、従来のように、縦枕部分（１０）が広がる形状が改善され、使用する段ボールシートの面積を小さくして、経済的に有利な緩衝材を提供することができる。
【図面の簡単な説明】
【図１】本考案による緩衝材
【図２】従来の緩衝材
【符号の説明】
１．　緩衝材
２．　底面板
３．　対向する一対の側辺ｊ．ｊ’
４．　折目　イ、ロ、ハ、ニ
５．　壁板　ａ、ｂ、ｃ、ｄ
６．　横枕部分
７．　他方の一側辺
８．　折目　ホ、へ、ト、チ
９．　壁板　ｅ、ｆ、ｇ、ｈ
１０．　縦枕部分
１１．　三角折板
１２．　交点
１３．　斜逆折目
１４．　切線
１５．　段ボールシートの縦目方向
１’．　緩衝材
２’．　底面板
３’．　対向する一対の側辺ｋ．ｋ’
４’．　折目　イ’、ロ’、ハ’、ニ’
５’．　壁板　ａ’、ｂ’、ｃ’、ｄ’
６’．　横枕部分
７’．　他方の一側辺
８’．　折目　ホ’、へ’、ト’、チ’
９’．　壁板　ｅ’、ｆ’、ｇ’、ｈ’
１０’．　縦枕部分
１１’．　段ボールシートの縦目方向
１２’．　段ボールシートの横目方向
１３’．　無駄な不必要部分
１４’．　切線
１５’．　段ボールシートの縦目方向
【図１】
0003099873.tif 000003
【図２】
0003099873.tif 000004